(57)【要約】シャッター装置は、流入側接続口と、流出側接続口と、流入側接続口と流出側接続口との間の風路にシャッターおよびシャッター取付部とを設けている。そしてシャッター取付部にはシャッター支持軸が、シャッターには取付穴が設けられている。シャッター支持軸が取付穴に挿入されるシャッター係止部は、１対設けられている。１対のシャッター支持軸は一直線上に配置され、かつ１対の取付穴は対向して、互いの方向に傾斜している。
2013065253.tif 000002
【特許請求の範囲】
【請求項１】
空気が流入する側に接続される流入側接続口と、
前記空気を流出させる側に接続される流出側接続口と、
前記流入側接続口と前記流出側接続口との間の風路にシャッターおよびシャッター取付部とを設け、
前記シャッター取付部には前記シャッターを支持するシャッター支持軸が設けられ、
前記シャッターには前記シャッター支持軸を取付ける取付穴が設けられ、
前記シャッター支持軸が前記取付穴に挿入されて前記シャッターが前記シャッター取付部に係止されるシャッター係止部が１対設けられるとともに１対の前記シャッター支持軸は一直線上に配置され、かつ１対の前記取付穴は対向して設けられ、前記シャッターは前記シャッター支持軸を軸に回転し、
前記シャッターが前記風路を閉鎖したときに前記シャッターと前記シャッター取付部との間に形成される隙間を遮蔽するリブ部を設け、前記リブ部は前記シャッターと当接するシャッター装置であって、
１対の前記取付穴は互いの方向に傾斜させたことを特徴とするシャッター装置。
【請求項２】
前記シャッター支持軸の断面形状は、楕円形であることを特徴とする請求項１に記載のシャッター装置。
【請求項３】
１対の前記シャッター係止部が鉛直方向の上下に設けられ、下側の前記シャッター支持軸の根元部にフランジを設けたことを特徴とする請求項１に記載のシャッター装置。
【請求項４】
１対のそれぞれの前記シャッター支持軸の外径が異なることを特徴とする請求項１に記載のシャッター装置。
【請求項５】
前記シャッター支持軸に、潤滑剤を塗布したことを特徴とする請求項１に記載のシャッター装置。
【発明の詳細な説明】
【技術分野】
【０００１】
本発明は、換気装置であるシャッター装置に関する。
【背景技術】
【０００２】
従来のシャッター装置は、送られてきた空気を屋外に連通するダクトを介して排出する換気装置であり、流出側接続口の内径より大きいシャッター取付部が設けられている（例えば、特許文献１参照）。【０００３】
以下、従来のシャッター装置について説明する。シャッター装置は流入側接続口、流出側接続口、シャッター取付部、シャッター取付枠、シャッター、およびリブ部を備えている。ここで流入側接続口はシャッター装置の空気が流入する側に、流出側接続口は空気を流出させる側に接続される。シャッター取付部は、流入側接続口と、流出側接続口との間に設けられる。【０００４】
シャッターは、流出側接続口から侵入する外風を防止するときは閉じられ、室内の空気を排気するときは開かれる。このようにシャッターは、開閉する。【０００５】
シャッター取付枠は、シャッター取付部の内側に嵌挿され、シャッターを取り付ける。リブ部は、シャッターが閉鎖したときにシャッター取付部の内側との間で形成される隙間を遮蔽する。また流出側接続口から正面視したとき、リブ部が流出側接続口の内径とほぼ同径である。そのため、このシャッター装置は気密性能が維持されたまま風路抵抗が小さくなり、ファン、モーターへの負荷が小さい。【０００６】
しかしながらこのような従来のシャッター装置は、シャッターの開閉時において、シャッターから不快なカタカタ音が生じるという課題があった。
【先行技術文献】
【特許文献】
【０００７】
【特許文献１】特開２００８−０７００４８号公報
【発明の概要】
【０００８】
本発明のシャッター装置は、空気が流入する側に接続される流入側接続口と、空気を流出させる側に接続される流出側接続口と、流入側接続口と流出側接続口との間の風路にシャッターおよびシャッター取付部とを設けている。そしてシャッター取付部には、シャッターを支持するシャッター支持軸が設けられている。またシャッターには、シャッター支持軸を取付ける取付穴が設けられている。シャッター支持軸が取付穴に挿入されて、シャッターがシャッター取付部に係止されるシャッター係止部が１対設けられている。１対のシャッター支持軸は一直線上に配置され、かつ１対の取付穴は対向して設けられている。またシャッターは、シャッター支持軸を軸に回転する。そしてシャッターが風路を閉鎖したときに、シャッターとシャッター取付部との間に形成される隙間を遮蔽するリブ部が設けられ、リブ部はシャッターと当接する。また１対の取付穴は、互いの方向に傾斜している。
【０００９】
このような構成により、取付穴とシャッター支持軸とは点接触となり、シャッターが開閉する。そのためシャッターの開閉時においても、シャッターから不快な音が生じない。
【図面の簡単な説明】
【００１０】
【図１】図１は、本発明の実施の形態のシャッター装置の構成を示す斜視図である。
【図２】図２は、同シャッター装置の構成および形状を示す斜視図である。
【図３】図３は、同シャッター装置を示す正面図である。
【図４】図４は、同シャッター装置の側面構成図である。
【発明を実施するための形態】
【００１１】
以下、本発明の実施の形態について図面を参照しながら説明する。
【００１２】
（実施の形態）
図１は、本発明の実施の形態のシャッター装置の構成を示す斜視図である。図１に示すようにシャッター装置は、流入側接続口１と、流出側接続口２と、シャッター３およびシャッター取付部４とを備えている。ここで流入側接続口１は空気１６が流入する側に接続され、流出側接続口２は空気１６を流出させる側に接続される。シャッター３およびシャッター取付部４は、流入側接続口１と流出側接続口２との間の風路１７に設けられる。
【００１３】
図２は、本発明の実施の形態のシャッター装置の構成および形状を示す斜視図である。図２に示すようにシャッター取付部４には、シャッター３を支持するシャッター支持軸６が設けられている。またシャッター３には、シャッター支持軸６を取付ける取付穴１０が設けられている。
【００１４】
シャッター３をシャッター取付部４に係止するシャッター係止部５は、シャッター支持軸６と取付穴１０とから構成されている。
【００１５】
図３は、本発明の実施の形態のシャッター装置を示す正面図である。図３に示すようにシャッター係止部５は、１対２個設けられている。１対のシャッター支持軸６は、一直線１８上に配置され、かつ１対の取付穴１０は対向して設けられている。またシャッター３は、シャッター支持軸６を軸に回転する。またシャッター３はシャッター平面部８と、シャッター曲げ部９と、シャッター曲げ部９上の取付穴１０とを備えている。そして１対のシャッター係止部５が、鉛直方向２０の上下に設けられている。また下側のシャッター支持軸６の根元部６ａ、および上側のシャッター支持軸６の根元部６ａにフランジ１２が設けられている。
【００１６】
そして図３に示すように取付穴１０は、シャッター支持軸６に対して外側に向かうに従い、内側にフランジ１２とシャッター曲げ部９とが点接触１４になる傾斜１３を備えている。すなわち１対の取付穴１０は、互いの方向１９に傾斜１３している。
【００１７】
従って、取付穴１０とシャッター支持軸６とは点接触１４になる。高静圧（例えば、１００Ｐａ）時においてシャッター３が閉じても、シャッター３の閉鎖する音による不快感が生じない。
【００１８】
図４は、本発明の実施の形態のシャッター装置の側面構成図である。シャッター装置は、シャッター３が風路１７を閉鎖したときに、シャッター３とシャッター取付部４との間に形成される隙間２１を遮蔽するリブ部７を備えている。このときリブ部７は、シャッター３と当接する。
【００１９】
図４に示すようにシャッター支持軸６の断面形状は、楕円形１１である。そのため、楕円形１１のシャッター支持軸６の外周の１点と、取付穴１０とが点接触１５しながらシャッター３が開閉する。その結果、高静圧時においてシャッター３が開閉しても、よりシャッター３において不快音が生じない。また、楕円形１１は製作しやすい、という利点もある。
【００２０】
また図３に示すように下側のシャッター支持軸６の根元部６ａ、および上側のシャッター支持軸６の根元部６ａにフランジ１２が設けられている。そのため、シャッター３の自重による落ち込みが上側および下側のフランジ１２の高さＨにより調整される。その結果、シャッター３が常に流出側接続口２の中心に位置するので、シャッター３の外周と流出側接続口２の内面との接触がなくなり、接触音が発生しない。
【００２１】
また図３に示すように１対のそれぞれのシャッター支持軸６の外径６ｂ、６ｃが、異なっている。その結果、シャッター３は上下方向を逆に取り付けることができなくなり、常にシャッター３は正しい位置に取り付けられる。
【００２２】
またシャッター支持軸６は、例えばシリコンのような潤滑剤が塗布されてもよい。シャッター支持軸６が取付穴１０の内部の潤滑剤を介して開閉するため高静圧時においても、よりシャッター３による閉鎖する音による不快感が生じない。また、シャッター係止部５の磨耗が防がれる。
【産業上の利用可能性】
【００２３】
本発明のシャッター装置は屋内と屋外とを連通する換気、または空調機能をもつ装置、および換気、送風、空調を目的に使用する外風防止用シャッターを要する機器に適用できる。
【符号の説明】
【００２４】
１    流入側接続口
２    流出側接続口
３    シャッター
４    シャッター取付部
５    シャッター係止部
６    シャッター支持軸
６ａ    根元部
６ｂ，６ｃ    外径
７    リブ部
８    シャッター平面部
９    シャッター曲げ部
１０    取付穴
１１    楕円形
１２    フランジ
１３    傾斜
１４，１５    点接触
１６    空気
１７    風路
１８    一直線
１９    互いの方向
２０    鉛直方向
２１    隙間
【図１】
2013065253.tif 000003
【図２】
2013065253.tif 000004
【図３】
2013065253.tif 000005
【図４】
2013065253.tif 000006
【手続補正書】
【提出日】平成26年12月16日(2014.12.16)
【手続補正１】
【補正対象書類名】特許請求の範囲
【補正対象項目名】全文
【補正方法】変更
【補正の内容】
【特許請求の範囲】
【請求項１】
送られてくる風が流入する側に接続される流入側接続口と、送られてきた風を流出させる側に接続される流出側接続口と、前記流入側接続口と前記流出側接続口との間に設けられるシャッターと１組のシャッター取付部とを設け、前記シャッター取付部には前記シャッターを係止させるシャッター係止部を設け、このシャッター取付部の内側に前記シャッターを支持するシャッター支持軸を設け、前記シャッターが閉鎖したときに前記シャッターと前記シャッター取付部との間で形成される隙間を遮蔽するリブ部を設け前記シャッターと当接するものであって、前記シャッター取付部はシャッター支持軸と取付穴とで構成し、前記取付穴をシャッター曲げ部上に設け前記シャッター曲げ部を前記シャッター支持軸に対して外側にいくに従い内側にフランジと前記シャッター曲げ部とが点接触になるように傾斜させたことを特徴とするシャッター装置。
【請求項２】
シャッター支持軸の形状を、楕円形にしたことを特徴とする請求項１に記載のシャッター装置。
【請求項３】
１組の取付部を、下側の取付部のシャッター支持軸のフランジを上側の取付部のシャッター支持軸のフランジより内側に設けたことを特徴とする請求項１に記載のシャッター装置。
【請求項４】
１組の取付部を、下側の取付部のシャッター支持軸の外径を上側の取付部のシャッター支持軸の外径より大きくしたことを特徴とする請求項１に記載のシャッター装置。
【請求項５】
シャッター支持軸に、潤滑剤を塗布したことを特徴とする請求項１に記載のシャッター装置。
【手続補正２】
【補正対象書類名】明細書
【補正対象項目名】００１０
【補正方法】変更
【補正の内容】
【００１０】
本発明のシャッター装置は、送られてくる風が流入する側に接続される流入側接続口と、送られてきた風を流出させる側に接続される流出側接続口と、前記流入側接続口と前記流出側接続口との間に設けられるシャッターと１組のシャッター取付部とを設け、前記シャッター取付部には前記シャッターを係止させるシャッター係止部を設け、このシャッター取付部の内側に前記シャッターを支持するシャッター支持軸を設け、前記シャッターが閉鎖したときに前記シャッターと前記シャッター取付部との間で形成される隙間を遮蔽するリブ部を設け前記シャッターと当接するものであって、前記シャッター取付部はシャッター支持軸と前記取付穴とで構成し、前記取付穴を前記シャッター支持軸に対して外側にいくに従い内側に傾斜させた、という構成を有する。これにより、取付穴とシャッター支持軸とが点接触をし、シャッターが回動することとなるので、高静圧時においても、シャッターによる不快感を生じなくすることができる、という効果を奏する。
【国際調査報告】
2013065253.tif 000007
2013065253.tif 000008
2013065253.tif 000009
2013065253.tif 000010